(57)【要約】【課題】電線群のスプライス部を形成すること及び必要に応じてスプライス部どうしを接続することを少ない工数及び少ない部品の種類で可能とすること。【解決手段】電線スプライス具１において、電線保持部２は、複数のキャビティ２１と差込孔２２とが形成された非導電性部材である。接点導体５は、電線保持部２から突出している。短絡導体４は、キャビティ２１各々に挿入される電線９各々と接点導体５と差込孔２２に挿入される他の電線スプライス具の接点導体とを電気的に接続する。囲い部３は接点導体５を囲う非導電性部材である。ロック機構６は当該電線スプライス具１と他の電線スプライス具とを連結状態に維持する。【選択図】図１
2014207071.tif 000002
【特許請求の範囲】
【請求項１】
それぞれ電線の端部が挿入される複数のキャビティと他の電線スプライス具の導体が挿入される差込孔とが形成された非導電性の電線保持部と、
前記電線保持部から突出して形成された接点導体と、
前記電線保持部に内包され前記キャビティ各々に挿入される前記電線各々と前記接点導体と前記差込孔に挿入される他の電線スプライス具の導体とを電気的に接続する短絡導体と、
前記電線保持部と一体に形成され前記接点導体を囲う非導電性の囲い部と、
当該電線スプライス具の前記接点導体が他の電線スプライス具の孔に挿入された状態及び他の電線スプライス具の導体が前記差込孔に挿入された状態のうちの少なくとも一方の状態で他の電線スプライス具の一部と係り合うことにより当該電線スプライス具と他の電線スプライス具とを連結状態に維持するロック機構と、を備える電線スプライス具。
【請求項２】
請求項１に記載の電線スプライス具であって、
前記差込孔は前記電線保持部の四方の側面のうちの前記キャビティ各々の入口が形成された側面に対し反対側の側面に形成されており、
前記接点導体は前記電線保持部における前記差込孔が形成された側面から突出して形成されている、電線スプライス具。
【請求項３】
請求項１に記載の電線スプライス具であって、
前記差込孔は前記電線保持部の四方の側面のうちの前記キャビティ各々の入口が形成された側面に隣接する側面に形成されており、
前記接点導体は前記電線保持部の四方の側面のうちの前記差込孔が形成された側面に対し反対側の側面から突出して形成されている、電線スプライス具。
【請求項４】
それぞれ複数の電線を含む第一電線群及び第二電線群と、
前記第一電線群の端部に取り付けられ前記第一電線群の複数の電線を電気的に接続する第一電線スプライス具と、
前記第二電線群の端部に取り付けられ前記第二電線群の複数の電線を電気的に接続し前記第一電線スプライス具と同じ構造を有する第二電線スプライス具と、を備え、
前記第一電線スプライス具及び前記第二電線スプライス具各々は、
それぞれ前記電線の端部が挿入された複数のキャビティと導体が挿入される差込孔とが形成された非導電性の電線保持部と、
前記電線保持部から突出して形成された接点導体と、
前記電線保持部に内包され前記キャビティ各々に挿入された前記電線各々と前記差込孔に挿入された相手側の電線スプライス具の前記接点導体とを電気的に接続する短絡導体と、
前記電線保持部と一体に形成され前記接点導体を囲う非導電性の囲い部と、
前記第一電線スプライス具の前記接点導体が前記第二電線スプライス具の孔に挿入された状態及び前記第二電線スプライス具の前記接点導体が前記第一電線スプライス具の前記差込孔に挿入された状態のうちの少なくとも一方の状態で前記第一電線スプライス具と前記第二電線スプライス具とを連結状態に保持するロック機構と、を備えるワイヤハーネス。
【発明の詳細な説明】
【技術分野】
【０００１】
本発明は、複数の電線を電気的に接続する電線スプライス具及びそれを備えるワイヤハーネスに関する。
【背景技術】
【０００２】
自動車に代表される車両に搭載されるワイヤハーネスにおいて、複数の電線が電気的に接続されたスプライス部が形成される場合がある。例えば、ワイヤハーネスが複数の要素ワイヤハーネスの組み合わせにより構成される場合に、要素ワイヤハーネス各々の一部の電線の芯線どうしを接続するスプライス部が形成される。
【０００３】
例えば、特許文献１に示されるスプライス部は、溶接又は端子金具の圧着によって複数の電線の芯線どうしが接合された部分である。また、特許文献２には、コネクタを用いてスプライス部を形成するアース機構が示されている。このアース機構において、コネクタは複数の電線の端部を保持し、コネクタと合体したバスバーが、複数の電線を電気的に接続する。
【先行技術文献】
【特許文献】
【０００４】
【特許文献１】特開平８−７７８３４号公報
【特許文献２】特開２０１２−１１５０１９号公報
【発明の概要】
【発明が解決しようとする課題】
【０００５】
ところで、電線群のスプライス部どうしをさらに電気的に接続したいというニーズがある。例えば、複数の上流工程各々において一次スプライス部を含む要素ワイヤハーネスが製造され、下流工程において、複数の要素ワイヤハーネス各々の一次スプライス部どうしが接続された二次スプライス部が形成される場合が考えられる。
【０００６】
一方、電線群のスプライス部を形成するために必要な工数及び部品の種類は少ないことが望ましい。例えば、特許文献２に示されるコネクタ及びバスバーを含むスプライス具が採用されることが考えられる。この場合、電線群のスプライス部を形成するための工数は少なくて済む。しかしながら、特許文献２には、複数のスプライス部をさらに電気的に接続するための構造は示されていない。
【０００７】
また、２つの一次スプライス部各々を構成するコネクタどうしを連結するとともに各コネクタのバスバーどうしを電気的に接続する中継コネクタが採用されることも考えられる。この場合、中継コネクタが必要となるため部品の種類が増えてしまう。
【０００８】
本発明は、電線群のスプライス部を形成すること及び必要に応じてスプライス部どうしを接続することを少ない工数及び少ない部品の種類で可能とすることを目的とする。
【課題を解決するための手段】
【０００９】
上記課題を解決するための第１態様に係る電線スプライス具は、以下に示される各構成要素を備える。
（１）第１の構成要素は、それぞれ電線の端部が挿入される複数のキャビティと他の電線スプライス具の導体が挿入される差込孔とが形成された非導電性の電線保持部である。
（２）第２の構成要素は、上記電線保持部から突出して形成された接点導体である。
（３）第３の構成要素は、上記電線保持部に内包され上記キャビティ各々に挿入される上記電線各々と上記接点導体と上記差込孔に挿入される他の電線スプライス具の導体とを電気的に接続する短絡導体である。
（４）第４の構成要素は、上記電線保持部と一体に形成され上記接点導体を囲う非導電性の囲い部である。
（５）第５の構成要素は、当該電線スプライス具の上記接点導体が他の電線スプライス具の孔に挿入された状態及び他の電線スプライス具の導体が上記差込孔に挿入された状態のうちの少なくとも一方の状態で他の電線スプライス具の一部と係り合うことにより当該電線スプライス具と他の電線スプライス具とを連結状態に維持するロック機構である。
【００１０】
第２態様に係る電線スプライス具は、第１態様に係る電線スプライス具の一態様である。第２態様に係る電線スプライス具において、上記差込孔は上記電線保持部の四方の側面のうちの上記キャビティ各々の入口が形成された側面に対し反対側の側面に形成されている。さらに、上記接点導体は上記電線保持部における上記差込孔が形成された側面から突出して形成されている。
【００１１】
第３態様に係る電線スプライス具は、第１態様に係る電線スプライス具の一態様である。第３態様に係る電線スプライス具において、上記差込孔は上記電線保持部の四方の側面のうちの上記キャビティ各々の入口が形成された側面に隣接する側面に形成されている。さらに、上記接点導体は上記電線保持部の四方の側面のうちの上記差込孔が形成された側面に対し反対側の側面から突出して形成されている。
【００１２】
また、上記課題を解決するための第４態様に係るワイヤハーネスは、それぞれ複数の電線を含む第一電線群及び第二電線群と、上記第一電線群の端部に取り付けられ上記第一電線群の複数の電線を電気的に接続する第一電線スプライス具と、上記第二電線群の端部に取り付けられ上記第二電線群の複数の電線を電気的に接続し上記第一電線スプライス具と同じ構造を有する第二電線スプライス具と、を備えている。そして、上記第一電線スプライス具及び上記第二電線スプライス具各々は、上記第１態様から第３態様のいずれかに係る電線スプライス具である。
【発明の効果】
【００１３】
上記の各態様によれば、複数の電線の端部が電線保持部のキャビティに挿入されるだけで、各電線の端部が電線保持部に内包された短絡導体によって電気的に接続される。これにより、電線群の端部にスプライス部が形成される。この場合、スプライス部が電線群の端部に対する溶接又は圧着金具の圧着によって形成される場合に比べ、スプライス部を形成するための工数は少なくて済む。
【００１４】
また、上記の各態様に係る電線スプライス具は、同じ構造を有する他の電線スプライス具と連結された状態を維持するロック機構も備えている。そのため、同じ構造を有する２つの電線スプライス具を連結させることも容易である。また、２つの電線スプライス具を連結させるための追加の部品は不要である。
【００１５】
さらに、上記の各態様に係る電線スプライス具は、他の電線スプライス具の孔（差込孔）に挿入される接点導体と、他の電線スプライス具の導体（接点導体）が挿入される差込孔とを有している。差込孔に挿入された導体は電線保持部内の短絡導体と電気的に接続される。従って、２つの電線スプライス具を連結させるだけで、２つの電線スプライス具各々に接続された電線群どうしが電気的に接続される。
【００１６】
また、上記の各態様に係る電線スプライス具は、電線保持部から突出して形成された接点導体を囲う非導電性の囲い部を備えている。そのため、電線スプライス具が他の電線スプライス具と連結されずに単独で使用された場合でも、電線保持部から突出した接点導体が周囲の物に接触して当該接点導体又は周囲の物が損傷したり、不要な電気的短絡を引き起こしたりすることは防止される。
【００１７】
以上に示したことから、上記の各態様に係る電線スプライス具が採用されれば、電線群のスプライス部を形成すること及び必要に応じてスプライス部どうしを接続することを少ない工数及び少ない部品の種類で可能とすることが可能となる。
【００１８】
また、第２態様に係る電線スプライス具どうしが連結される場合、２つの電線スプライス具各々に接続される２組の電線群が直列に並ぶ状態となる。従って、第２態様は、それぞれスプライス部が形成された２組の電線群が直列に並ぶ状態で各電線群のスプライス部を接続したい場合に好適である。
【００１９】
また、第３態様に係る電線スプライス具どうしが連結される場合、複数の電線スプライス具各々に接続される複数組の電線群が並列に並ぶ状態となる。従って、第３態様は、それぞれスプライス部が形成された複数組の電線群が並列に並ぶ状態で各電線群のスプライス部を接続したい場合に好適である。
【００２０】
さらに、第３態様に係る電線スプライス具が採用される場合、接点導体は、差込孔が形成された側面に対し反対の側面から突出している。この場合、電線スプライス具は、一の側面側において当該電線スプライス具の接点導体を通じて他の１つ目の電線スプライス具と連結可能であり、さらに、反対側の側面において他の２つ目の電線スプライス具の接点導体を通じて他の２つ目の電線スプライス具と連結可能である。そのため、第３態様が採用される場合、３つ以上の電線スプライス具を連結することも可能となる。
【００２１】
従って、第３態様は、それぞれスプライス部が形成された複数組の電線群が並列に並ぶ状態で各電線群のスプライス部を接続したい場合、及び３組以上の電線群各々のスプライス部を接続したい場合に好適である。
【図面の簡単な説明】
【００２２】
【図１】第１実施形態に係る２つの電線スプライス具１の斜視図である。
【図２】電線スプライス具１の一部をなす電線保持部２の斜視図である。
【図３】第１実施形態に係るワイヤハーネス１０の斜視図である。
【図４】第２実施形態に係る２つの電線スプライス具１Ａの斜視図である。
【図５】電線スプライス具１Ａの斜視図である。
【図６】第２実施形態に係るワイヤハーネス１０Ａの斜視図である。
【発明を実施するための形態】
【００２３】
以下、添付の図面を参照しながら、本発明の実施形態について説明する。以下の実施形態は、本発明を具体化した一例であり、本発明の技術的範囲を限定する事例ではない。以下に示される各実施形態において、電線スプライス具は、車両に搭載されるワイヤハーネスにおいて、複数の電線が電気的に接続されたスプライス部を作るために用いられる。
【００２４】
＜第１実施形態＞
まず、図１を参照しつつ、第１実施形態に係るワイヤハーネス１０及びそれに含まれる第１実施形態に係る電線スプライス具１について説明する。図１には対向配置された２つの電線スプライス具１及びそれら各々に接続された２組の電線群９０が示されている。
【００２５】
＜電線群＞
電線群９０は複数の電線９を含み、電線９各々は芯線と芯線の周囲を覆う絶縁被覆とを有する絶縁電線である。
【００２６】
＜電線スプライス具＞
図１に示されるように、電線スプライス具１は、電線保持部２、短絡導体４、接点導体５、囲い部３及びロック機構６を備えている。
【００２７】
＜電線保持部＞
電線保持部２は、複数のキャビティ２１と１つの差込孔２２とが形成された非導電性の部材である。電線保持部２は、例えば、ポリアミド（ＰＡ）、ポリプロピレン（ＰＰ）又はＡＢＳ樹脂などの非導電性の合成樹脂からなる成形部材である。
【００２８】
電線保持部２は後述する囲い部３と一体に形成されているが、便宜上、図２には囲い部３が除かれた電線保持部２の斜視図が示されている。従って、図２は、電線保持部２と囲い部３とが分離可能に構成されていることを意味する図ではない。
【００２９】
図１，２に示される例では、電線保持部２の外形は概ね直方体状である。電線保持部２は、電線群９０のスプライス部を形成するためのコネクタである。
【００３０】
電線保持部２において、複数のキャビティ２１各々は、電線９の端部が挿入される部分である。例えば、電線９の端部には、電線９の芯線に連結された端子金具が取り付けられており、電線９における端子金具が取り付けられた部分が、電線保持部２のキャビティ２１に挿入されている。
【００３１】
電線保持部２は、複数のキャビティ２１各々に挿入された電線９の端部がキャビティ２１内から抜けるのを防ぐ不図示のリテーナを備えている。複数のキャビティ２１各々に挿入された電線９の端部は、電線保持部２に組み合わされた不図示のリテーナと係り合うことによりキャビティ２１内に保持される。
【００３２】
差込孔２２は、当該電線スプライス具１と同じ構造を有する他の電線スプライス具１の接点導体５が挿入される孔である。差込孔２２は、電線保持部２の側面から電線保持部２内における短絡導体４が配置されている部分へ連通している。
【００３３】
＜接点導体＞
接点導体５は、電線保持部２に保持され、電線保持部２から突出して形成された導体である。接点導体５は、電線保持部２内から電線保持部２の側面を経て電線保持部２の外側へ突出している。
【００３４】
接点導体５は、電線保持部２内に位置する部分において短絡導体４と電気的に接続されている。より具体的には、接点導体５は、電線保持部２内に位置する部分において、短絡導体４と接触しているもしくは短絡導体４と繋がっている。
【００３５】
接点導体５は、例えば、銅などを主成分する芯金部とその芯金部の表面に形成された錫メッキなどの金属メッキとを含む金属部材である。
【００３６】
＜短絡導体＞
短絡導体４は、電線保持部２に内包された導体である。短絡導体４は、例えば、銅などを主成分する芯金部とその芯金部の表面に形成された錫メッキなどの金属メッキとを含む金属部材である。短絡導体４は、接点導体５における電線保持部２内に位置する部分と接触しているもしくは繋がっている。
【００３７】
短絡導体４は、電線保持部２のキャビティ２１各々に挿入される電線９各々と接点導体５と差込孔２２に挿入される他の電線スプライス具１の接点導体５とを電気的に接続する導体である。
【００３８】
例えば、短絡導体４は、キャビティ２１各々に挿入された電線９の端部各々における芯線に連結された端子金具と接触する。或いは、短絡導体４が、キャビティ２１各々に挿入された電線９の端部各々における芯線と直接接触することも考えられる。
【００３９】
また、短絡導体４の一部は、電線保持部２における差込孔２２の内側の開口付近に位置している。そして、当該電線スプライス具１の短絡導体４の一部が、差込孔２２に挿入された他の電線スプライス具１の接点導体５と接触する。
【００４０】
短絡導体４及び接点導体５は、例えば成形された合成樹脂の電線保持部２に対して組み付けられることにより電線保持部２と合体している。或いは、電線保持部２が、短絡導体４及び接点導体５をインサート部とするインサート成形によって成形され、これにより電線保持部２、短絡導体４及び接点導体５が合体していることも考えられる。
【００４１】
＜囲い部＞
囲い部３は、接点導体５を囲う非導電性の部分である。囲い部３は、例えば、ポリアミド（ＰＡ）、ポリプロピレン（ＰＰ）又はＡＢＳ樹脂などの非導電性の合成樹脂からなる成形部材である。
【００４２】
囲い部３は、電線保持部２と一体に形成されている。例えば、電線保持部２及び囲い部３は、一体成形された一連の部材であることが考えられる。なお、囲い部３が、成形された合成樹脂の電線保持部２に対して組み付けられることにより電線保持部２と一体に構成されてもよい。
【００４３】
囲い部３は、接点導体５の突出方向に直交する四方のうちの少なくとも３方向において接点導体５を囲うことが望ましい。図１に示される例では、囲い部３は接点導体５の周囲におけ３方向において接点導体５を囲っている。
【００４４】
＜ロック機構＞
ロック機構６は、他の電線スプライス具１のロック機構６と係り合うことにより当該電線スプライス具１と他の電線スプライス具１とを連結状態に維持する機構である。図３は連結状態にある２つの電線を含むワイヤハーネス１０の斜視図である。
【００４５】
図１，３に示される例では、ロック機構６は、電線保持部２に形成された突起部４１と囲い部３に形成された孔部６２とを含む。２つの電線スプライス具１の連結状態において、一方の電線スプライス具１の突起部６１が他方の電線スプライス具１の孔部６２に嵌り込む。これにより、突起部６１と孔部６２とが係り合い、２つの電線スプライス具１が連結状態に維持される。
【００４６】
便宜上、以下の説明において、連結された２つの電線スプライス具１のそれぞれを第一電線スプライス具１Ｘ及び第二電線スプライス具１Ｙと称する。また、第一電線スプライス具１Ｘ及び第二電線スプライス具１Ｙの各々に接続された電線群９０各々のことを第一電線群９０Ｘ及び第二電線群９０Ｙと称する。
【００４７】
ワイヤハーネス１０は、それぞれ複数の電線９を含む第一電線群９０Ｘ及び第二電線群９０Ｙと、第一電線スプライス具１Ｘ及び第二電線スプライス具１Ｙとを備える。第一電線スプライス具１Ｘは、第一電線群９０Ｘの端部に取り付けられ第一電線群９０Ｘの複数の電線９を電気的に接続する。同様に、第二電線スプライス具１Ｙは、第二電線群９０Ｙの端部に取り付けられ第二電線群９０Ｙの複数の電線９を電気的に接続する。第二電線スプライス具１Ｙは、第一電線スプライス具１Ｘと同じ構造を有する。
【００４８】
本実施形態においては、差込孔２２は電線保持部２の四方の側面のうちのキャビティ２１各々の入口が形成された側面に対し反対側の側面に形成されている。さらに、接点導体５は電線保持部２における差込孔２２が形成された側面から突出して形成されている。
【００４９】
キャビティ２１、差込孔２２及び接点導体５が上記の位置関係にある場合、以下のようになる。即ち、第一電線スプライス具１Ｘと第二電線スプライス具１Ｙとが連結状態にあるとき、第一電線スプライス具１Ｘの接点導体５が第二電線スプライス具１Ｙの差込孔２２に挿入されており、かつ、第二電線スプライス具１Ｙの接点導体５が第一電線スプライス具１Ｘの差込孔２２に挿入されている。
【００５０】
従って、第一電線スプライス具１Ｘと第二電線スプライス具１Ｙとが連結状態にあるとき、第一電線群９０Ｘ及び第二電線群９０Ｙは、短絡導体４及び接点導体５を介して電気的に接続されている。
【００５１】
さらに、図３に示されるように、電線スプライス具１どうしが連結される場合、２つの電線スプライス具１各々に接続される２組の電線群９０が直列に並ぶ状態となる。
【００５２】
＜第２実施形態＞
次に、図４〜６を参照しつつ、第２実施形態に係るワイヤハーネス１０Ａ及びそれに含まれる第２実施形態に係る電線スプライス具１Ａについて説明する。図４は２つの電線スプライス具１Ａの斜視図である。図４には対向配置された２つの電線スプライス具１Ａ及びそれら各々に接続された２組の電線群９０が示されている。図５は電線スプライス具１Ａの斜視図である。図４の斜視図及び図５の斜視図は、それぞれ異なる方向から見た斜視図である。図６はワイヤハーネス１０Ａの斜視図である。
【００５３】
電線スプライス具１Ａは、図１，３に示された電線スプライス具１と比較して、電線保持部２に対する囲い部３及び接点導体５の配置位置が異なっている。図４〜６において、図１〜３に示される構成要素と同じ構成要素は、同じ参照符号が付されている。以下、電線スプライス具１Ａ及びワイヤハーネス１０Ａにおける電線スプライス具１及びワイヤハーネス１０と異なる点についてのみ説明する。
【００５４】
電線スプライス具１Ａも電線スプライス具１と同様に他の電線スプライス具１Ａと連結可能である。便宜上、以下の説明において、連結された２つの電線スプライス具１Ａのそれぞれを第一電線スプライス具１ＡＸ及び第二電線スプライス具１ＡＹと称する。また、第一電線スプライス具１ＡＸ及び第二電線スプライス具１ＡＹの各々に接続された電線群９０各々のことを第一電線群９０Ｘ及び第二電線群９０Ｙと称する。
【００５５】
ワイヤハーネス１０Ａは、それぞれ複数の電線９を含む第一電線群９０Ｘ及び第二電線群９０Ｙと、第一電線スプライス具１ＡＸ及び第二電線スプライス具１ＡＹとを備える。第一電線スプライス具１ＡＸは、第一電線群９０Ｘの端部に取り付けられ第一電線群９０Ｘの複数の電線９を電気的に接続する。同様に、第二電線スプライス具１ＡＹは、第二電線群９０Ｙの端部に取り付けられ第二電線群９０Ｙの複数の電線９を電気的に接続する。第二電線スプライス具１ＡＹは、第一電線スプライス具１ＡＸと同じ構造を有する。
【００５６】
図４〜６に示される例においても、ロック機構６は、電線保持部２に形成された突起部６１と囲い部３に形成された孔部６２とを含む。２つの電線スプライス具１の連結状態において、一方の電線スプライス具１Ａの突起部６１が他方の電線スプライス具１Ａの孔部６２に嵌り込む。これにより、突起部６１と孔部６２とが係り合い、２つの電線スプライス具１Ａが連結状態に維持される。
【００５７】
電線スプライス具１Ａにおいて、電線保持部２の差込孔２２は、電線保持部２の四方の側面のうちのキャビティ２１各々の入口が形成された側面に隣接する側面に形成されている。さらに、接点導体５は電線保持部２の四方の側面のうちの差込孔２２が形成された側面に対し反対側の側面から突出して形成されている。
【００５８】
電線保持部２の四方の側面のうち複数のキャビティ２１の入口が形成された側面を基準側面とした場合に、図４〜６に示される例は以下のことを示している。即ち、差込孔２２は、基準側面が向く方向に対して直交する方向を向く側面に形成されている。さらに、接点導体５は、差込孔２２が形成された側面が向く方向に対して反対を向く側面に形成されている。
【００５９】
電線スプライス具１Ａのロック機構６において、突起部６１は、当該電線スプライス具１Ａの差込孔２２に挿入される接点導体５を備える他の電線スプライス具１Ａを連結状態に維持する。さらに、電線スプライス具１Ａのロック機構６において、孔部６２は、当該電線スプライス具１Ａの接点導体５の挿入先となる差込孔２２が形成された他の電線スプライス具１Ａを連結状態に維持する。
【００６０】
キャビティ２１、差込孔２２及び接点導体５が上記の位置関係にある場合、以下のようになる。即ち、第一電線スプライス具１ＡＸと第二電線スプライス具１ＡＹとが連結状態にあるとき、第一電線スプライス具１ＡＸの接点導体５が第二電線スプライス具１ＡＹの差込孔２２に挿入されている。
【００６１】
従って、第一電線スプライス具１ＡＸと第二電線スプライス具１ＡＹとが連結状態にあるとき、第一電線群９０Ｘ及び第二電線群９０Ｙは、短絡導体４及び接点導体５を介して電気的に接続されている。
【００６２】
さらに、図６に示されるように、電線スプライス具１Ａどうしが連結される場合、２つの電線スプライス具１各々に接続される２組の電線群９０が並列に並ぶ状態となる。
【００６３】
ところで、第二電線スプライス具１ＡＹの接点導体５は、第一電線スプライス具１ＡＸに対して反対側に位置している。そのため、第二電線スプライス具１ＡＹの接点導体５は、第一電線スプライス具１ＡＸの差込孔２２に挿入されない。
【００６４】
従って、第二電線スプライス具１ＡＹは、その接点導体５の挿入先となる差込孔２２が形成された不図示の他の電線スプライス具１Ａと連結可能である。
【００６５】
＜効果＞
電線スプライス具１，１Ａが採用されれば、複数の電線９の端部が電線保持部２のキャビティ２１に挿入されるだけで、各電線９の端部が電線保持部２に内包された短絡導体４によって電気的に接続される。これにより、電線群９０の端部にスプライス部が形成される。この場合、スプライス部が電線群９０の端部に対する溶接又は圧着金具の圧着によって形成される場合に比べ、スプライス部を形成するための工数は少なくて済む。
【００６６】
また、電線スプライス具１，１Ａは、同じ構造を有する他の電線スプライス具１，１Ａと連結された状態を維持するロック機構６も備えている。そのため、同じ構造を有する２つの電線スプライス具１，１Ａを連結させることも容易である。また、２つの電線スプライス具１，１Ａを連結させるための追加の部品は不要である。
【００６７】
さらに、電線スプライス具１，１Ａは、他の電線スプライス具１，１Ａの差込孔２２に挿入される接点導体５と、他の電線スプライス具１，１Ａの接点導体５が挿入される差込孔２２とを有している。差込孔２２に挿入された接点導体５は電線保持部２内の短絡導体４と電気的に接続される。従って、２つの電線スプライス具１，１Ａを連結させるだけで、２つの電線スプライス具１，１Ａ各々に接続された電線群９０どうしが電気的に接続される。
【００６８】
また、電線スプライス具１，１Ａは、接点導体５における電線保持部２から突出して形成された部分を囲う非導電性の囲い部３を備えている。そのため、電線スプライス具１，１Ａが他の電線スプライス具１，１Ａと連結されずに単独で使用された場合でも、電線保持部２から突出した接点導体５が周囲の物に接触して当該接点導体５又は周囲の物が損傷したり、不要な電気的短絡を引き起こしたりすることは防止される。
【００６９】
以上に示したことから、電線スプライス具１，１Ａが採用されれば、電線群９０のスプライス部を形成すること及び必要に応じてスプライス部どうしを接続することを少ない工数及び少ない部品の種類で可能とすることが可能となる。
【００７０】
また、電線スプライス具１どうしが連結される場合、２つの電線スプライス具１各々に接続される２組の電線群９０が直列に並ぶ状態となる（図３参照）。従って、電線スプライス具１は、それぞれスプライス部が形成された２組の電線群９０が直列に並ぶ状態で各電線群９０のスプライス部を接続したい場合に好適である。
【００７１】
一方、電線スプライス具１Ａどうしが連結される場合、複数の電線スプライス具１Ａ各々に接続される複数組の電線群９０が並列に並ぶ状態となる（図６参照）。従って、電線スプライス具１Ａは、それぞれスプライス部が形成された２組の電線群９０が並列に並ぶ状態で各電線群９０のスプライス部を接続したい場合に好適である。
【００７２】
さらに、電線スプライス具１Ａが採用される場合、接点導体５は、差込孔２２が形成された側面に対し反対の側面から突出している。この場合、電線スプライス具１Ａは、一の側面側において当該電線スプライス具１Ａの接点導体５を通じて他の１つ目の電線スプライス具１Ａと連結可能であり、さらに、反対側の側面において他の２つ目の電線スプライス具１Ａの接点導体５を通じて他の２つ目の電線スプライス具１Ａと連結可能である。そのため、電線スプライス具１Ａが採用される場合、３つ以上の電線スプライス具１Ａを連結することも可能となる。
【００７３】
＜その他＞
電線スプライス具１，１Ａにおいて、囲い部３が接点導体５の四方を囲うことも考えられる。この場合、囲い部３を構成する四方の隔壁のうちの１つが嵌り込む切れ込みが電線保持部２に形成されていればよい。
【００７４】
また、電線スプライス具１，１Ａにおいて、ロック機構６は、図１，６に示される構造と異なる構造を有していてもよい。例えば、ロック機構６が、囲い部３に形成された突起部と電線保持部２に形成された凹部とを含むことが考えられる。この場合、２つの電線スプライス具１，１Ａのうちの一方の囲い部３の突起部が他方の電線保持部２の凹部に嵌り込むことにより、２つの電線スプライス具１，１Ａが連結状態に維持される。
【００７５】
なお、本発明に係る電線スプライス具及びワイヤハーネスは、各請求項に記載された発明の範囲において、以上に示された各実施形態を自由に組み合わせること、或いは各実施形態を適宜、変形する又は一部を省略することによって構成されることも可能である。
【符号の説明】
【００７６】
１，１Ａ  電線スプライス具
１Ｘ，１ＡＸ  第一電線スプライス具
１Ｙ，１ＡＹ  第二電線スプライス具
２  電線保持部
３  囲い部
４  短絡導体
５  接点導体
６  ロック機構
９  電線
１０，１０Ａ  ワイヤハーネス
２１  キャビティ
２２  差込孔
６１  突起部
６２  孔部
９０  電線群
９０Ｘ  第一電線群
９０Ｙ  第二電線群
【図１】
2014207071.tif 000003
【図２】
2014207071.tif 000004
【図３】
2014207071.tif 000005
【図４】
2014207071.tif 000006
【図５】
2014207071.tif 000007
【図６】
2014207071.tif 000008